(57)【要約】セキュリティ監視システムが、構造物の出口及び入口に配置された出口カメラ及び入口カメラと、人の出入りを検知する検知器と、出入口カメラからの画像を記録する画像記録システムと、退出者と入場者とが同一人物であるかを判断するために、所定の基準を用いて、上記記録画像を分析するコンピュータ・ビジョン・システムと、を有する。上記カメラはビデオ・カメラであり、上記検知器はドア接触センサ又は赤外線センサであることが好ましい。このシステムは、退出者と入場者とが同一人物でないと判断された場合に、アラーム信号及び／又は上記記録画像の少なくとも一部をリモート・サイトへ送信する手段を更に有することが好ましい。好ましい実施例において、本システムは、その構造物について権限ある各個人について画像データを記録するデータベースと、出入口カメラからの記録画像をデータベースの記録画像データと比較し、入退出者が権限ある人物の１人であるかを判断する認識システムと、を更に有する。この実施例においては、退出者と入場者とが同一人物でなく、又は同一人物でないと判断され、且つ権限ある人物のうちの１人でもないと判断された場合に、アラーム信号及び／又は上記記録画像の少なくとも一部がリモート・サイトへ送信される。
2004516557.tif 000002
【特許請求の範囲】
【請求項１】
構造物の出口及び入口にそれぞれ配置された出口カメラ及び入口カメラと、
前記構造物への個人の出入りを検知する検知器と、
前記出入口カメラからの画像を記録する画像記録システムと、
退出者と入場者とが同一人物であるかを判断するために、所定の基準を用いて、前記画像記録システムから送信された前記記録画像を分析するコンピュータ・ビジョン・システムと、を有することを特徴とするセキュリティ監視システム。
【請求項２】
請求項１記載のセキュリティ監視システムであって、
前記検知器は、前記構造物の出入口ドアに配置されたドア接触センサであることを特徴とするセキュリティ監視システム。
【請求項３】
請求項１記載のセキュリティ監視システムであって、
前記検知器は、前記構造物の出入口ドアに配置された赤外線センサであることを特徴とするセキュリティ監視システム。
【請求項４】
請求項１記載のセキュリティ監視システムであって、
退出者と入場者とが同一人物でないと判断された場合に、アラーム信号を送信する手段を更に有することを特徴とするセキュリティ監視システム。
【請求項５】
請求項１記載のセキュリティ監視システムであって、
退出者と入場者とが同一人物でないと判断された場合に、前記記録画像の少なくとも一部をリモート・サイトへ送信する手段を更に有することを特徴とするセキュリティ監視システム。
【請求項６】
請求項１記載のセキュリティ監視システムであって、
退出者と入場者とが同一人物であるかを判断するための前記所定の基準は、前記退出者及び入場者の記述的特徴のマッチングを有することを特徴とするセキュリティ監視システム。
【請求項７】
請求項６記載のセキュリティ監視システムであって、
前記記述的特徴は、前記記録画像の色、形状、又はテクスチャ分布のうちの１以上から成るグループから選択されることを特徴とするセキュリティ監視システム。
【請求項８】
請求項１記載のセキュリティ監視システムであって、
前記構造物について権限ある各個人について画像データを記録するデータベースと、
前記出入口カメラからの記録画像を前記データベースの記録画像データと比較し、入退出者が権限ある人物の１人であるかを判断する認識システムと、を更に有することを特徴とするセキュリティ監視システム。
【請求項９】
請求項８記載のセキュリティ監視システムであって、
前記データベースの記録画像データは顔画像であり、
前記認識システムは顔認識システムである、ことを特徴とするセキュリティ監視システム。
【請求項１０】
請求項８記載のセキュリティ監視システムであって、
退出者と入場者とが同一人物でないと判断され、且つ権限ある人物のうちの１人でもないと判断された場合に、アラーム信号を送信する手段を更に有することを特徴とするセキュリティ監視システム。
【請求項１１】
請求項８記載のセキュリティ監視システムであって、
退出者と入場者とが同一人物でないと判断され、且つ権限ある人物のうちの１人でもないと判断された場合に、前記記録画像の少なくとも一部をリモート・サイトへ送信する手段を更に有することを特徴とするセキュリティ監視システム。
【請求項１２】
請求項１記載のセキュリティ監視システムであって、
前記画像記録システムは、イベントが発生したときに、前記出入口カメラからの画像を記録することを特徴とするセキュリティ監視システム。
【請求項１３】
請求項１２記載のセキュリティ監視システムであって、
前記イベントの発生は、前記検知器のトリガであることを特徴とするセキュリティ監視システム。
【請求項１４】
構造物のセキュリティ監視を実行する方法であって、
前記構造物の出口及び入口の両方において画像を取り込む工程と、
前記取込工程の前又は後で、前記構造物への個人の出入りを検知する工程と、
前記取り込まれた画像を記録する工程と、
退出者と入場者とが同一人物であるかを判断するために、所定の基準を用いて、前記記録画像を分析する工程と、を有することを特徴とする方法。
【請求項１５】
請求項１４記載の方法であって、
退出者と入場者とが同一人物でないと判断された場合に、アラーム信号を送信する工程を更に有することを特徴とする方法。
【請求項１６】
請求項１４記載の方法であって、
退出者と入場者とが同一人物でないと判断された場合に、前記記録画像の少なくとも一部をリモート・サイトへ送信する工程を更に有することを特徴とする方法。
【請求項１７】
請求項１４記載の方法であって、
前記構造物について権限ある各個人について画像データを記録する工程と、
入退出者が権限ある人物の１人であるかを判断するために前記出入口カメラからの記録画像を前記記録画像データと比較する工程と、を更に有することを特徴とする方法。
【請求項１８】
請求項１７記載の方法であって、
退出者と入場者とが同一人物でないと判断され、且つ権限ある人物のうちの１人でもないと判断された場合に、アラーム信号を送信する工程を更に有することを特徴とする方法。
【請求項１９】
請求項１７記載の方法であって、
退出者と入場者とが同一人物でないと判断され、且つ権限ある人物のうちの１人でもないと判断された場合に、前記記録画像の少なくとも一部をリモート・サイトへ送信する工程を更に有することを特徴とする方法。
【請求項２０】
請求項１４記載の方法であって、
前記記録工程は、イベントが発生したときに、前記出入口カメラからの画像を記録することを特徴とする方法。
【発明の詳細な説明】
【０００１】
（発明の背景）
（発明の属する技術分野）
本発明は、概して、セキュリティ監視システムに係り、特に、構造物から入退場する個人を認識して入退出の衝突を解決するコンピュータ・ビジョン・システムを有するセキュリティ監視システムに係る。
【０００２】
（従来技術）
従来のセキュリティ監視システム、特に住居用セキュリティ・システムは、ドア及び窓用の接触センサと、エリア監視用の１以上の赤外線センサとを監視するボックスを利用する。接触センサ又は赤外線センサがトリガされると、アラームが鳴り、電話線などのデータ・リンクを通じて中央監視サイトへ信号が送られる。中央監視サイトは、通常、その家の所有者、職場、及び／又は、指定された隣人へ複数の電話呼を発し、アラーム信号が、不法侵入者によるものか、或いは、親族又はその構造物の権限有る占有者によって偶然トリガされたものか、を判断する。
【０００３】
アラーム信号を電話呼によって解決することができなかった場合、それは地域の警察へ転送される。警察へ転送された呼のうち９５％は、不法侵入者によるものではないという意味で「誤ったアラーム」と判明する。
【０００４】
「誤ったアラーム」の大部分は、入退出の衝突と呼ばれるものによって生じる。例えば、住居用アラーム・システムの場合に、住居の所有者又は他の権限ある占有者は、該住居を離れている間にセキュリティ・システムを稼動させる場合が多く、その後間もなく、彼が家に忘れ物をしたことに気が付く、という状況を考える。彼らが家に戻ってきたとき、彼らはシステムを解除しないで入場し、それによってアラームが鳴らされ、及び／又はアラーム信号が中央監視サイトへ送られる。同様に、家の所有者がセキュリティ・システムを稼動させた状態で在宅しており（例えば、夜間など）、その後、何か（例えば、朝刊）を得るために家の外へ出た場合、それによって誤ったアラームがトリガされる。
【０００５】
従来技術について考えると、セキュリティ監視システムについては、上記及び他の種類の入退出の衝突を解決する必要がある。
【０００６】
（発明の開示）
よって、本発明の目的は、従来のセキュリティ監視システムにおける入退出の衝突を解決するセキュリティ監視システムを提供することである。
【０００７】
本発明の別の目的は、構造物への人の出入口を監視し、キー画像データを記録し、退出する人物を入場した人物と一致させるセキュリティ監視システムを提供することである。
【０００８】
このようにして、セキュリティ監視システムが提供される。このセキュリティ監視システムは、構造物の出口及び入口にそれぞれ配置された出口カメラ及び入口カメラと、上記構造物への個人の出入りを検知する検知器と、上記出入口カメラからの画像を記録する画像記録システムと、退出者と入場者とが同一人物であるかを判断するために、所定の基準を用いて、上記画像記録システムから送信された上記記録画像を分析するコンピュータ・ビジョン・システムと、を有する。上記出入口カメラはビデオ・カメラであって、上記画像はビデオ画像であるか、或いは、上記出入口カメラはディジタル・カメラであって、上記画像は静止画であることが好ましい。
【０００９】
このセキュリティ監視システムは、更に、退出者と入場者とが同一人物でないと判断された場合に、アラーム信号及び／又は上記記録画像の少なくとも一部をリモート・サイトへ送信する手段を更に有することが好ましい。別の方法として、このセキュリティ監視システムは、退出者と入場者とが同一人物である場合に、アラーム信号及び／又は上記記録画像の少なくとも一部をリモート・サイトへ送信してもよい。
【００１０】
本発明に係るセキュリティ監視システムの好ましい実施例において、退出者と入場者とが同一人物であるかを判断するための上記所定の基準は、上記記録画像の色、形状、又はテクスチャ分布などの上記退出者及び入場者の記述的特徴のマッチングを有する。
【００１１】
本発明に係るセキュリティ監視システムの別のより好ましい実施例において、このセキュリティ監視システムは、その構造物について権限ある各個人について画像データを記録するデータベースと、上記出入口カメラからの記録画像を上記データベースの記録画像データと比較し、入退出者が権限ある人物の１人であるかを判断する認識システムと、を更に有する。上記データベースの記録画像データは顔画像であり、上記認識システムは顔認識システムである、ことが好ましい。このより好ましい実施例において、本セキュリティ監視システムは、退出者と入場者とが同一人物でないと判断され、且つ権限ある人物のうちの１人でもないと判断された場合に、アラーム信号及び／又は上記記録画像の少なくとも一部をリモート・サイトへ送信する手段を更に有する。
【００１２】
構造物のセキュリティ監視を実行する方法も提供される。この方法は、上記構造物の出口及び入口の両方において画像を取り込む工程と、この取込工程の前又は後で、上記構造物への個人の出入りを検知する工程と、上記出入口カメラからの画像を記録する工程と、退出者と入場者とが同一人物であるかを判断するために、所定の基準を用いて、上記記録画像を分析する工程と、を有する。
【００１３】
この方法は、退出者と入場者とが同一人物でないと判断された場合に、アラーム信号及び／又は上記記録画像の少なくとも一部をリモート・サイトへ送信する工程を更に有することが好ましい。別の方法として、退出者と入場者とが同一人物である場合に、アラーム信号及び／又は上記記録画像の少なくとも一部を送信してもよい。
【００１４】
本発明に係る方法の好ましい実施例において、この方法は、上記構造物について権限ある各個人について画像データを記録する工程と、入退出者が権限ある人物の１人であるかを判断するために上記出入口カメラからの記録画像を上記記録画像データと比較する工程と、を更に有する。この本発明に係る方法の好ましい実施例は、退出者と入場者とが同一人物でないと判断され、且つ権限ある人物のうちの１人でもないと判断された場合に、アラーム信号及び／又は上記記録画像の少なくとも一部をリモート・サイトへ送信する工程を更に有する。
【００１５】
（発明の詳細な説明）
本発明の装置及び方法の上記及び他の特徴、態様、及び利点は、以下の説明、付属の請求項、及び添付図面について、より明らかにされる。
【００１６】
本発明は、様々な種類の数多くのセキュリティ監視システムに適用可能であるが、特に住居用セキュリティ監視システムの環境において便利であることがわかっている。よって、本発明の適用可能性を住居用セキュリティ監視システムに限定することなく、本発明は上記環境について説明される。
【００１７】
ここで図１を参照する。図１は、本発明に係るセキュリティ監視システム１００を示す。このセキュリティ監視システム１００は、住宅用家屋又は商業用ビルである構造物１０８のドア１０６の出口１０２ａ及び入口１０４ａにそれぞれ配置された出入口カメラ１０２、１０４を有する。ドア１０６は、一例として典型的な外面ドアとして図示されているが、これは本発明の範囲を限定するものではない。引き戸、巻き上げ式ドア、又はガレージ・ドアなどの構造物への出入口を提供するあらゆるものが本発明の対象となり得ることは当業者には明らかである。出入口カメラ１０２、１０４は、ビデオ・フレーム・シーケンスを供給するビデオ・カメラであることが好ましいが、代替的に静止画シーケンスを供給するディジタル・カメラであってもよい。さらに、出入口カメラ１０２、１０４は、固定タイプでもよく、パン・チルト・ズーム（ＰＴＺ）タイプでもよい。ビデオ・フレーム及び静止画の両シーケンスは、以下、包括的に、画像又は画像データと呼ばれる。出入口カメラ１０２、１０４は、ドア１０６のそばにマウントされ、それぞれ出口１０２ａ及び入口１０４ａの方を向いているように図示されている。しかし、この構成は、簡素化のためである。出入口カメラ１０２、１０４は、ここに参考文献として組み込まれる同時係属米国特許出願第０９／７３４７８０号（Ｄｏｃｋｅｔ  Ｎｏ．７０１６６２，１３９３５）に記載されているように、ドア１０６にマウントされることが好ましい。
【００１８】
セキュリティ監視システムは、更に、アラーム・システム１１０を含む。このアラーム・システム１１０は、ドア１０６を通って構造物１０８へ出入りする個人を検知する検知器を有する。この検知器は、ドア１０６の上に配置された磁気ドア接触センサ１１２や該構造物のドア１０６のそばに配置された赤外線センサ１１４などのドア１０６の作動を検知する本分野で既知のあらゆる装置であってよい。別の方法として、この検知器は、ドア１０６のドアノブに配置されたセンサや、同時係属米国特許出願第０９／７３７８０号（Ａｔｔｏｒｎｅｙ  Ｄｏｃｋｅｔ  ７０１６６２，１３９３５）にも開示されているような背景変化検知システムであってもよい。この検知器は、更に、アラーム・システムを稼動させる活動、又は、ドア１０６のドアノブ又はキー・タンブラを回転させる活動などの検知器として機能し得るあらゆる装置であってもよい。
【００１９】
画像記録システム１１６は、検知器からのトリガによって、出入口カメラからの画像を記録する。すなわち、アラーム信号が通常は中央監視サイト１１８へ送信されるように検知器がトリガされると、画像記録システム１１６は出入口カメラ１０２、１０４からの画像を記録する。別の方法として、画像記録システム１１６は、所定量の現在の画像データが常に記録され、使用可能となるように新しい画像データが古い画像を上書きするバッファにすべての画像を記録することも可能である。画像記録システム１１６は、ハードドライブなどのストレージと画像取込カードとを有するコンピュータ又は他のあらゆるプロセッサであることが好ましい。しかし、画像記録システム１１６は、本発明の範囲及び意図を逸脱することなく、本分野で既知のあらゆる種類のものでよい。
【００２０】
コンピュータ・ビジョン・システム１２０は、退出者と入場者とが同一人物であるか否かを判定するために、所定の基準を用いて、画像記録システム１１６から送信された記録画像を分析する。コンピュータ・ビジョン・アルゴリズムは、その人物の記述的特徴を抽出することが好ましい。これら記述的特徴は、画像の色、テクスチャ、又は形状分布の１又は組み合わせに基づくことが好ましい。この記述的特徴は、彼／彼女の衣服などのその人物の特定のエリアに焦点が合わせられている。入退出者の画像の記述的特徴は、抽出され、比較される。入退出者間で一致がなかった場合、アラーム信号がトリガされ、電話線（ＰＯＴＳ）などのデータ・リンク１１９を通じて中央監視サイト１１８へ送信される。入退出者のいずれかの画像も中央監視サイト１１８へ送信されることが好ましい。コンピュータ・ビジョン・システム１２０は、例えば、ここに参考文献として組み込まれる同時係属米国特許出願第０９／７０３４２３号（Ａｔｔｏｒｎｅｙ  Ｄｏｃｋｅｔ  ７０１２５４）において開示されているシステムである。しかし、当業者には明らかなように、コンピュータ・ビジョン・システム１２０は、本発明の範囲及び意図を逸脱しない本分野において既知のあらゆる装置であってよく、例えば、ここに参考文献として組み込まれるＲａｊａらによる「Ｓｅｇｍｅｎｔａｔｉｏｎ  ａｎｄ  Ｔｒａｃｋｉｎｇ  Ｕｓｉｎｇ  Ｃｏｌｏｕｒ  Ｍｉｘｔｕｒｅ  Ｍｏｄｅｌｓ」，３ｒｄ  Ａｓｉａｎ  Ｃｏｎｆｅｒｅｎｃｅ  ｏｎ  Ｃｏｍｐｕｔｅｒ  Ｖｉｓｉｏｎ，Ｖｏｌ．１，ｐｐ．６０７〜６１４，Ｈｏｎｇ  Ｋｏｎｇ、Ｃｈｉｎａ、１９９８年１月、に開示されたものであってもよい。
【００２１】
本発明に係るセキュリティ監視システム１００の好ましい実施例は、その構造物について権限を有する各人物の例えば顔などの画像データを記録するデータベース１２２をも含む。住居用家屋の場合、その家に住む人々の顔が、好ましくは出入口カメラ１０２、１０４によって記録され、データベース１２２に格納される。コンピュータ・ビジョン・システム１２０が入退出者が同一人物でないと判断した場合、アラームをトリガする代わりに、セキュリティ監視システム１００は、代替的に、出入口カメラからの記録画像をデータベース１２２の記録画像データ（例えば、顔）と比較する認識システム１２４を利用することができる。出入口カメラからの記録画像とデータベース１２２の記録画像データとの間に一致が見られなければ、本システムは、上述のように処理を進め、アラーム信号をトリガし、及び／又は入退出者のいずれかの画像を中央監視サイト１１８へ送信する。例えば、Ｓ．Ｇｕｔｔａらによる「Ｆａｃｅ  Ｒｅｃｏｇｎｉｔｉｏｎ，Ｓｉｘｔｈ  Ｉｎｔｅｒｎａｔｉｏｎａｌ  ｃｏｎｆｅｒｅｎｃｅ  ｏｎ  Ｃｏｍｐｕｔｅｒ  Ｖｉｓｉｏｎ」，ｐｇｓ．６４６〜６５１，ＩＥＥＥ，１９９８年１月４〜７日，インド、ボンベイ、に記載されているような顔認識アルゴリズム及びシステムは、本分野では良く知られている。
【００２２】
コンピュータ・ビジョン・システム１２０からの入退出者の比較、又は、出入口カメラからの記録画像とデータベース１２２の記録画像データとの比較、のいずれかが一致した場合、アラームはトリガされない。すなわち、通常であればアラームをトリガし得る退出又は入場は無視される。別の方法として、別の方法として、「不法の」退出又は入場の際にアラーム信号が送信され、入退出者が同一人物であると判断された場合には続けて取消信号が送信されるようにしてもよい。さらに、入退出者が同一人物であると判断された場合であっても、アラーム信号及び／又は画像データの一部が中央監視サイトへ送信されてもよい。例えば、その人物がその構造物について立ち入りが許されたメイドだと判断された場合、画像データは、後で、そのメイドが家から財産を盗んだという証拠を支持又は否定するのに用いることができる。
【００２３】
個々人の顔及び記述的特徴の組み合わせも、その人物が権限あるものであるかを確かめる１つの方法として用いることができる。これは、以下に述べるように順に行われてもよく、並行して行われてもよい。
【００２４】
以上、特定の入退出の衝突を参照せずに、図１を参照して、セキュリティ監視システム１００について包括的に説明した。次いで、図２及び３を参照して、２つの特定の入退出の衝突について説明する。しかし、当業者には明らかなように、上記包括的説明は、あらゆる入退出の衝突をカバーすることが意図されているため、図２及び３について説明される入退出の衝突又はあらゆる１つの特定の入退出の衝突に限定されない。
【００２５】
ここで図２のフローチャートを参照する。図２は、アラーム・システム１１０が「稼動」され、構造物１０８への入場がアラームをトリガさせ、アラーム信号を中央監視サイト１１８へ送信させる場合について、本発明に係るセキュリティ監視システムを提供する方法を示す。これは、権限ある人物がアラーム・システム１１０を「稼動」させ、構造物１０８から出て、その後すぐにその人物が構造物１０８内に忘れ物をしたために、アラーム・システム１１０を解除しないで戻ってきた場合などである。
【００２６】
工程２００において、出入口カメラ１０２、１０４は、構造物１０８のドア１０６の出入口１０２ａ、１０４ａからの画像を取り込む。別の方法として、該カメラは、ドア１０６のドアノブ又はキー・タンブラの回転や、ドア１０６上の又は近くのセンサのトリガ、背景モデルを用いた検知などのイベントが発生したときに、画像データを取り込むために作動し始めるようにしてもよい。工程２０２において、１以上の検知器１１２、１１４は、退出する人物の検知を確認する。退出が検知された場合（パス２０４ｂで概略的に図示する）、出口カメラ１０２は、工程２０４において、バッファ（データベース１２２でもよい）からのビデオ・フレーム又は静止画の最後の所定部分を記録する。別の方法として、出口カメラ１０２が画像を取り込み、画像認識システム１１６が権限ある人物がアラーム・システムを「稼動」させたときなどのイベントが検知されると上記画像を記録してもよい。この場合、出口カメラ１０２は、アラーム・システムを稼動させるところも取り込み、記録することができる。退出が検知されない場合、このフローチャートはパス２０４ａに沿って進み、カメラ１０２、１０４は画像の取り込みを続けるか、或いはイベント発生時の画像取込以前の休止状態へ戻る。
【００２７】
次いで、セキュリティ監視システム１００は、工程２０８において、該構造物への再入場を探す。アラーム・システム１１０が所定時間限度内に該構造物への再入場を検知した場合（パス２０８ｂとして概略的に図示する）、工程２１０において、入口カメラ１０４からの画像が画像記録装置１１６内へ記録される又はバッファから取り出され入れられる。再入場がなければ、本システムはパス２０８ａに沿って工程２００へ進み、出入口カメラからの画像を取り込む。
【００２８】
次いで、出入口カメラ１０２、１０４からの記録画像は、工程２１２において、コンピュータ・ビジョン・システム１２０によって分析され、その中の記述的特徴が一致するか工程２１４において判定される。一致すれば（すなわち、家を出た人物が後で再入場したと判断された場合）、本システムはパス２１４ａに沿って進み、再入場の検知は工程２１８において無視される。一致がみられなければ、本システムはパス２１４ｃ又は２１４ｂに沿って進むことができる。本システムがパス２１４ｃに沿って（破線で示す）工程２１６へ進む場合、アラーム信号は、入口カメラからの記録画像と共に中央監視サイト１１８に送信されることが好ましい。しかし、色分布が用いられ、ジャケットを羽織って退出した人物がジャケット無しで再入場した場合などの異なる記述的特徴を有する退出者が再入場した場合、更に、工程２２０において、顔認識を実行することができる。工程２２０において、その構造物へのアクセスを許された全員の顔などの記録画像データが、入口カメラ１０４からの記録画像と比較される。工程２２２において、一致がみられるか判断される。一致がみられない場合、本システムはパス２２２ｂに沿って工程２１６へ進み、アラームがトリガされる。一致がみられれば、本システムは、パス２２２ａに沿って工程２１８へ進み、再入場の検知が無視されるか、或いは、パス２２２ｃに沿って（破線で示す）進み、前述のように、アラーム信号及び／又は画像データが中央監視サイトへ送信される。
【００２９】
次いで、図３を参照する。図３は、アラーム・システム１１０が「稼動」され、構造物１０８からの退出がアラームをトリガさせ、アラーム信号を中央監視サイト１１８へ送信させる場合について、本発明に係るセキュリティ監視システムを提供する方法を示す。これは、権限ある人物がアラーム・システムを夜間「稼動」させ、起床後、該アラーム・システムを解除せずに該構造物から出て、その後すぐにたぶん朝刊を持って戻ってきた場合などである。図３における同じ符番は、図２を参照して既に述べたのと同じ工程を示す。
【００３０】
工程２００において、出入口カメラ１０２、１０４は、構造物１０８のドア１０６の出入口１０２ａ、１０４ａからの画像を取り込む。工程２０２において、１以上の検知器１１２、１１４は、退出する人物の検知を確認する。退出が検知された場合（パス２０４ｂで概略的に図示する）、出口カメラ１０２は、工程２０４において、ビデオ・フレーム又は静止画を記録する。退出が検知されない場合、このフローチャートはパス２０４ａに沿って進み、画像の取り込みを続けるか、或いは、カメラ１０２、１０４はイベントが発生するまで休止状態へ戻る。
【００３１】
次いで、セキュリティ監視システム１００は、工程２０８において、該構造物への再入場を探す。アラーム・システム１１０が所定時間限度内に該構造物への再入場を検知した場合（パス２０８ｂとして概略的に図示する）、工程２１０において、入口カメラ１０４からの画像の最後の部分がバッファから画像記録装置１１６内へ記録される。再入場がなければ、本システムはパス２０８ｃに沿って工程２１６へ進み、アラーム信号がトリガされる。
【００３２】
次いで、出入口カメラ１０２、１０４からの記録画像は、工程２１２において、コンピュータ・ビジョン・システム１２０によって分析され、その中の記述的特徴が一致するか工程２１４において判定される。一致すれば（すなわち、家を出た人物が後で再入場したと判断された場合）、本システムはパス２１４ａに沿って進み、退出の検知は工程３００において無視される。一致がみられなければ、本システムはパス２１４ｃ又は２１４ｂに沿って進むことができる。本システムがパス２１４ｃに沿って（破線で示す）工程２１６へ進む場合、アラーム信号は、入口カメラからの記録画像と共に中央監視サイト１１８に送信されることが好ましい。しかし、色分布が用いられ、ジャケットを羽織って退出した人物がジャケット無しで再入場した場合などの異なる記述的特徴を有する退出者が再入場した場合、更に、工程２２０において、顔認識を実行することができる。工程２２０において、その構造物へのアクセスを許された全員の顔などの記録画像データが、入口カメラ１０４からの記録画像と比較される。工程２２２において、一致がみられるか判断される。一致がみられない場合、本システムはパス２２２ｂに沿って工程２１６へ進み、アラームがトリガされる。一致がみられれば、本システムは、パス２２２ａに沿って工程３００へ進み、退出の検知が無視されるか、或いは、パス２２２ｃに沿って（破線で示す）進み、前述のように、アラーム信号及び／又は画像データが中央監視サイトへ送信される。
【００３３】
当業者には明らかなように、図２及び３に示すシステムは、前述の入退出の衝突を解決する。すなわち、権限ある人物が外出し、アラーム・システムを稼動させたが、該アラーム・システムを解除しないで再入場した場合、或いは、権限有る人物がアラーム・システムが稼動されている間に外出し、戻ってきた場合に、誤ったアラームがトリガされることがなくなる。
【００３４】
以上、本発明の好ましい実施形態と考えられるものについて図示し、説明したが、当然、本発明の意図を逸脱することなく、形又は詳細について様々な修正及び変更が容易に可能であることは明らかである。よって、本発明は、ここに説明され、図示されたちょうどその形に限定されることが意図されたものではなく、付属の請求項の範囲内に収まり得るすべての修正をカバーするものと解釈されるべきである。
【図面の簡単な説明】
【図１】
本発明のセキュリティ監視システムの概略図である。
【図２】
図１のセキュリティ監視システムによって解決される第一の入退出の衝突のフローチャートである。
【図３】
図１のセキュリティ監視システムによって解決される第二の入退出の衝突のフローチャートである。
【図１】
2004516557.tif 000003
【図２】
2004516557.tif 000004
【図３】
2004516557.tif 000005
【国際公開パンフレット】
2004516557.tif 000006
2004516557.tif 000007
2004516557.tif 000008
2004516557.tif 000009
2004516557.tif 000010
2004516557.tif 000011
2004516557.tif 000012
2004516557.tif 000013
2004516557.tif 000014
2004516557.tif 000015
2004516557.tif 000016
2004516557.tif 000017
2004516557.tif 000018
2004516557.tif 000019
2004516557.tif 000020
2004516557.tif 000021
【国際公開パンフレット（コレクトバージョン）】
2004516557.tif 000022
2004516557.tif 000023
【国際調査報告】
2004516557.tif 000024
2004516557.tif 000025
2004516557.tif 000026